(57)【要約】【課題】外部記録媒体に内蔵記録媒体の映像データを保存する場合、保存するファイルを個々に選択したり大きなサイズのファイルを分割するなどの煩雑・複雑な処理を行うことなく、仮想的に分割された記録媒体単位を選択する簡単な処理で、内蔵記録媒体の映像データを保存可能にする。【解決手段】外部記録媒体より内蔵記録媒体９の容量が多い場合、記録を開始する前にあらかじめ、外部記録媒体の容量を超えない容量の記録媒体が複数個あるかのように内蔵記録媒体９を仮想的に分割管理しておいて映像データを記録する。記録中の仮想記録媒体の残容量がなくなった場合、一旦ファイルのクローズ処理を行い、仮想記録媒体の容量以下に収まるように処理し、別の仮想記録媒体に継続して映像データの記録を行う。【選択図】図１
2007206932.tif 000002
【特許請求の範囲】
【請求項１】
映像データを記憶する内蔵記録媒体と、
前記内蔵記録媒体内の映像データを外部記録媒体に保存するための外部記録媒体インターフェースと、
前記内蔵記録媒体を、各々の容量が前記外部記録媒体の容量以下となるように仮想的に分割し、当該分割した複数個の仮想記録媒体の集合体として管理する内蔵記録媒体管理部とを備え、
前記外部記録媒体インターフェースを介して前期内蔵記録媒体内の映像データを前記外部記録媒体に保存する場合、前記内蔵記録媒体管理部で管理する仮想記録媒体ごとに映像データを保存することを特徴とする映像信号記録装置。
【請求項２】
映像データのサイズが仮想記録媒体の容量を超える場合、当該仮想記録媒体の容量以下で継続して記録を行い、それ以降は異なる仮想記録媒体に継続して記録をおこなうことで、映像データを分割して記録することを特徴とする請求項１記載の映像信号記録装置。
【請求項３】
内蔵記録媒体を分割してなる複数個の仮想記録媒体を表示する表示部をさらに備え、
使用者が前記表示部を介して、前記仮想記録媒体の１つを選択し、当該仮想記録媒体に記録されている映像データを前記外部記録媒体に保存することを特徴とする請求項１記載の映像信号記録装置。
【請求項４】
映像データを記憶する内蔵記録媒体を、各々の容量が外部記録媒体の容量以下となるように仮想的に分割し、当該分割した複数個の仮想記録媒体の集合体として管理し、
前期内蔵記録媒体内の映像データを前記仮想記録媒体ごとに前記外部記録媒体に保存することを特徴とする映像信号記録方法。
【発明の詳細な説明】
【技術分野】
【０００１】
本発明は、映像データを内蔵記録媒体に記憶し、外部記録媒体インターフェースを介して内蔵記録媒体に記憶している映像データを外部記録媒体に保存する機能を有する映像信号記録装置に関する。
【背景技術】
【０００２】
近年、動画像や静止画像などの映像データを記録する機器においては、記録媒体が従来の磁気テープやフィルムから、半導体メモリを使用したメモリカードやＤＶＤなどの光ディスクへと切り替わろうとしている。特に、デジタルスチルカメラ商品は、その低価格もさることながら、上記メディアへの切り替わりによって、通常ならば３６枚程度の撮影枚数の上限を１０００枚近くに引き上げ、パーソナルコンピュータとのデータ連携など、従来の機械式カメラではなしえなかった新たな使い方を利用者に提案し、市場に急速に浸透していったことは記憶に新しい。今日では、さらに半導体メモリ（例えばフラッシュメモリ）の大容量化や低価格化、ハードディスクの小型化や大容量化が進み、機器に内蔵し一時的にデータを記憶する記録媒体（以下、内蔵記録媒体と称する）としての使用形態も普及している。このような内蔵記録媒体を用いた機器では、外部記録媒体インターフェース（ＵＳＢや半導体メモリ着脱スロットなど）を介して、内蔵記録媒体のデータを外部機器（例えばパーソナルコンピュータなど）やメディア（例えば半導体メモリカードやＤＶＤ(Digital Versatile Disk)メディアなど）に保存する技術などが提案されている。
【特許文献１】特開２０００−１９６９８６号公報
【発明の開示】
【発明が解決しようとする課題】
【０００３】
しかしながら、特許文献１における映像信号記録装置の外部機器へのデータ保存技術に関しては、内蔵記録媒体と外部記録媒体の記録容量を考慮する記載は一切無い。内蔵記録媒体から外部記録媒体にデータ転送し保存する場合、内蔵記録媒体の容量が外部記録媒体の容量以下でなければ、内蔵記録媒体中のデータを適切なサイズ（容量）になるようにファイルを個々に選択したり、ファイルサイズが大き過ぎる場合にはファイルそのものを分割しないと外部記録媒体に保存できないという課題がある。
【０００４】
本発明はこのような従来の課題を解決するもので、外部記録媒体より内蔵記録媒体の容量が多い場合は、記録を開始する前にあらかじめ、外部記録媒体の容量を超えない容量の記録媒体が複数個あるかのように内蔵記録媒体を仮想的に分割管理して映像データを記録する。このことにより、外部記録媒体に内蔵記録媒体の映像データを保存する場合、保存するファイルを個々に選択するとか大きなサイズのファイルを分割するなどの煩雑・複雑な処理を行うことなく、仮想的に分割された記録媒体単位を選択する簡単な処理だけで、内蔵記録媒体の映像データの保存を可能にする。
【課題を解決するための手段】
【０００５】
本発明の映像信号記録装置は、映像データを記憶する内蔵記録媒体と、前記内蔵記録媒体内の映像データを外部記録媒体に保存するための外部記録媒体インターフェースと、前記内蔵記録媒体を、各々の容量が前記外部記録媒体の容量以下となるように仮想的に分割し、当該分割した複数個の仮想記録媒体の集合体として管理する内蔵記録媒体管理部とを備え、前記外部記録媒体インターフェースを介して前期内蔵記録媒体内の映像データを前記外部記録媒体に保存する場合、前記内蔵記録媒体管理部で管理する仮想記録媒体ごとに映像データを保存することを特徴とする。
【０００６】
映像データのサイズが仮想記録媒体の容量を超える場合、当該仮想記録媒体の容量以下で継続して記録を行い、それ以降は異なる仮想記録媒体に継続して記録をおこなうことで、映像データを分割して記録する。
【０００７】
また、内蔵記録媒体を分割してなる複数個の仮想記録媒体を表示する表示部をさらに備え、使用者が前記表示部を介して、前記仮想記録媒体の１つを選択し、当該仮想記録媒体に記録されている映像データを前記外部記録媒体に保存する。
【０００８】
本発明の映像信号記録装置によると、内蔵記録媒体管理部により、内蔵記録媒体を各々の容量が外部記録媒体の容量以下となるように仮想的に分割し、当該分割した複数個の仮想記録媒体の集合体として管理するので、外部記録媒体より内蔵記録媒体の容量が多い場合は、記録を開始する前にあらかじめ、外部記録媒体の容量を超えない容量の記録媒体が複数個あるかのように内蔵記録媒体を仮想的に分割管理して映像データを記録することができる。
【発明の効果】
【０００９】
本発明によると、外部記録媒体より内蔵記録媒体の容量が多い場合に、外部記録媒体に内蔵記録媒体の映像データを保存する際、保存するファイルを個々に選択するとか大きなサイズのファイルを分割するなどの煩雑・複雑な処理を行うことなく、仮想的に分割された記録媒体単位を選択する簡単な処理だけで、内蔵記録媒体の映像データを保存できる。
【発明を実施するための最良の形態】
【００１０】
本発明の映像信号記録装置の一実施の形態を図１ないし図５に基づいて説明する。
【００１１】
図１は、映像信号記録装置のブロック図を示している。図１において、ＣＣＤ（撮像素子）２は、撮影レンズ１を介して得た撮影情報を光電変換し、ＣＣＤ信号として出力する。デジタル演算処理回路（ＤＳＰ）３は、ＣＣＤ２からの映像信号とマイク４からの音声信号を受ける。ＣＣＤ２から得られたＣＣＤ信号に対してはゲイン調整、ノイズ除去、ガンマ補正、アパーチャ処理、ニー処理等の周知のカメラ信号処理が施され、マイク４から得た音声信号に対しては、不要なノイズや風切り音の除去等の周知の音声信号処理が施される。ＤＳＰ３で処理された信号は、システムバス５を経由してシステムの作業領域として利用されるＲＡＭ６に格納される。ＲＡＭ６に格納されたデジタル信号は、圧縮伸張処理回路（ＣＯＤＥＣ）７によって画像圧縮および音声圧縮処理されブロックデータに変換される。ディスプレイ８は、記録画像などを出力する。なお、このときの圧縮方式については特に限定されるものではないが、動画像に対しては例えばＭＰＥＧ（Motion Picture Experts Group）２方式、静止画像に対しては例えばＪＰＥＧ（Joint Photographic Coding Experts Group）方式が挙げられる。次に、圧縮処理後の映像信号および音声信号は時間的同期をとって多重化され、ひとつのまとまったブロックデータに変換される。圧縮処理されたブロックデータは、ＣＯＤＥＣ７から内蔵記録媒体９に記録される。ＣＰＵ１０は、これら一連の記録シーケンスを制御する。内蔵記録媒体９のブロックデータを外部記録媒体に保存する場合は、ＵＳＢコントローラ１１を介してＵＳＢコネクタ１２に接続される外部機器へ内蔵記録媒体９内のブロックデータを送出して保存する。このようにして、映像信号記録装置１００を構成する。
【００１２】
ここで、内蔵記録媒体９としては、例えば、フラッシュメモリやハードディスクが挙げられ、それらは映像信号記録装置１００内に固定されているものや、着脱可能なものであってもよい。また、外部記録媒体としては、ＤＶＤ−ＲなどのＤＶＤメディアやハードディスクが挙げられる。具体的には、映像信号記録装置１００が大容量の固定式の内蔵記録媒体９を備えたデジタルビテオカメラであって、外部記録媒体はデジタルビテオカメラに記録された映像データや音声データ（以下、映像音声データと称する）を保存するＤＶＤレコーダ等で用いるＤＶＤメディアの関係が挙げられる。
【００１３】
以上のように構成された映像信号記録装置１００について、以下その動作を詳細に説明する。
【００１４】
まず、ＣＵＰ１０は、内蔵記録媒体９の容量が外部記録媒体の容量より大きい場合、記録を開始する前に映像信号記録装置１００内にある内蔵記録媒体９を仮想的に分割する。なお、内蔵記録媒体９の容量が外部記録媒体の容量より大きいか否かの判断に際して、予め使用者は外部記録媒体の容量を映像信号記録装置１００に覚えさせておく必要がある。例えば、映像信号記録装置１００において設定モードにてディスプレイ８に表示される各種外部記録媒体の項目の中から、使用者が使用しようとする外部記録媒体（例えばＤＶＤ−Ｒ）と一致するものを選択したり、使用しようとする外部記録媒体の容量を直接数字（例えば４．７ＧＢ）にて入力したり、あるいは使用者が内蔵記録媒体９を分割したい任意の容量を数字にて入力する等が挙げられる。
【００１５】
図２を用いて、ソフトウェア処理により内蔵記録媒体９を仮想的に分割する手順について説明する。図２中、Ａは内蔵記録媒体９の容量、Ｂは外部記録媒体の容量を表している。まず、内蔵記録媒体９の容量Ａが外部記録媒体の容量Ｂより大きいかを判断し（ステップＳ２１）、内蔵記録媒体９の容量Ａが外部記録媒体の容量Ｂ以下の場合には、ステップＳ２２にて内蔵記録媒体９を分割せずに処理を終了する。ステップＳ２１にて、内蔵記録媒体９の容量Ａが外部記録媒体の容量Ｂより大きいと判断した場合、ステップＳ２３に進む。ステップＳ２３では、容量Ａを容量Ｂで割り、その商（Ｎ）と余り（Ｃ）を求める。次に、ステップＳ２４にて、内蔵記録媒体９を、容量Ｂの仮想記録媒体Ｎ個と、容量Ｃの仮想記録媒体１個とに分割する。
【００１６】
以上のようにして、個々の仮想記録媒体の容量は、外部記録媒体インターフェースであるＵＳＢコネクタ１２などを介して接続される外部記録媒体の容量以下になるように設定される。つまり、内蔵記録媒体９は、あらかじめ外部記録媒体より大きい容量を持たない複数個の仮想記録媒体として管理され映像音声データが記録されることになる。すなわち、図２に示すソフトウェア処理のためのプログラムを記憶したＲＯＭ、そのプログラムを実行するＣＵＰ１０、プログラムの実行結果である仮想記録媒体の容量や個数を記憶するＲＡＭにて内蔵記録媒体管理部が構成される。
【００１７】
次に、映像音声データの記録、保存動作について説明する。
【００１８】
まず、ステップＳ２１（図２）にて、内蔵記録媒体９の容量Ａが外部記録媒体の容量Ｂ以下の場合には、内蔵記録媒体９を分割することなく映像音声データが記録される。すなわち、図３に示すように、容量Ａの１個の内蔵記録媒体９に映像音声データが記録され、さらに内蔵記録媒体９に記録された映像音声データを、容量Ａ以上の容量Ｂの外部記録媒体３１に保存する。
【００１９】
次に、ステップＳ２１（図２）にて、内蔵記録媒体９の容量Ａが外部記録媒体の容量Ｂより大きい場合には、複数個の仮想記録媒体に対して映像音声データが記録される。すなわち、図４に示すように、内蔵記録媒体９は、例えば容量Ｂの仮想記録媒体Ｎ個と、容量Ｃの仮想記録媒体１個とに分割されており、（Ｎ＋１）個の各仮想記録媒体に映像音声データが記録される。仮想記録媒体に映像音声データを記録する際、映像音声データのサイズが仮想記録媒体の容量を超え、撮影途中で現在記録中の仮想記録媒体の残容量がなくなった場合は、一旦映像音声データファイルのクローズ処理を行い、仮想記録媒体の容量以下に収まるように処理し、別の仮想記録媒体に継続して記録を行う。
【００２０】
そして、各仮想記録媒体に記録された映像音声データを、容量Ｂの外部記録媒体３１に保存する。図５は、ディスプレイ８を用いて複数個ある仮想記録媒体を選択している様子を示す一例である。なお、画面上は、仮想記録媒体ではなく、単に記録媒体と表示されるものとする。使用者は、記録された映像音声データを外部記録媒体３１に保存する場合、個々にファイルを指定するのではなく、表示されている記録媒体（仮想記録媒体）ごとに指定する。記録媒体（仮想記録媒体）は事前に外部記録媒体３１以下の容量Ｂに構成されているため、個々のファイル選択やファイルの分割処理などが不要で、そのまま外部記録媒体インターフェースであるＵＳＢコントローラ１１およびＵＳＢコネクタ１２を介して外部記録媒体３１に映像音声データを保存することが可能である。
【００２１】
本実施の形態における映像信号記録装置１００によると、外部記録媒体３１より内蔵記録媒体９の容量Ａが多い場合は、記録を開始する前にあらかじめ、外部記録媒体３１の容量Ｂを超えない容量の記録媒体が複数個あるかのように内蔵記録媒体９を仮想的に分割管理して映像音声データを記録する。このことにより、外部記録媒体３１に内蔵記録媒体９の映像音声データを保存する場合、保存するファイルを個々に選択するとか大きなサイズのファイルを分割するなどの煩雑・複雑な処理を行うことなく、仮想的に分割された記録媒体単位を選択する簡単な処理だけで、内蔵記録媒体９の映像音声データを保存することができる。
【００２２】
また、内蔵記録媒体９の仮想的に分割された記録媒体の容量を外部記録媒体３１の容量Ｂと等しくしておくことで、仮想記録媒体に記録された映像音声データを仮想記録媒体単位に外部記録媒体３１に保存する簡単な操作で、空き容量を作ることなく外部記録媒体３１を有効に活用して映像音声データを保存することができる。
【００２３】
なお、外部記録媒体インターフェースとしてＵＳＢコントローラ１１やＵＳＢコネクタ１２を用いて説明したが、もちろんこれに限定するものではなく、半導体メモリカードなどの接続可能なメモリスロットやメモリコントローラ、または着脱可能なＨＤＤなど、外部記録媒体となりうる記録媒体全てにおいて本発明が有効である。
【００２４】
また、記録媒体に記録する映像音声データのフォーマットをＤＶＤ−Ｖｉｄｅｏフォーマットとし、外部記録媒体３１としてＤＶＤ−Ｒメディアを用い、ＣＰＵ１０に記録媒体内のファイル情報を抽出させ、ＵＳＢコントローラ１１をホストとして動作させ、データ転送後にＤＶＤ−Ｒメディアをファイナライズすることで、メディアフォーマットの変換を行わず高速にＤＶＤ−Ｖｉｄｅｏとしての保存が可能である。
【００２５】
また、各仮想記録媒体に記録された映像音声データを外部記録媒体３１に保存する際、映像信号記録装置１００のディスプレイ８を用いて複数個ある仮想記録媒体を選択するのに限るものではなく、例えば、外部記録媒体３１を備えた外部装置の表示部に仮想記録媒体の選択画面を表示し、外部装置側からの指示で映像音声データを保存する対象の仮想記録媒体を選択するようにしてもよい。
【００２６】
また、各仮想記録媒体に記録された映像音声データを外部記録媒体３１に保存する際、使用者がディスプレイ８に表示された仮想記録媒体の選択画面を介して選択するのに限らず、例えば、ＣＵＰ１０が自動で仮想記録媒体を順次選択するようにしてもよい。
【００２７】
さらに、図６に示すように、ハードウェア処理により内蔵記録媒体９を仮想的に分割してもよい。すなわち、図２に示すソフトウェア処理に代えてハードウェア処理により分割処理を行ってもよい。内蔵記録媒体分割部６１は、容量比較部６２と容量分割部６３とから構成される。容量比較部６２は、内蔵記録媒体９の容量Ａと外部記録媒体の容量Ｂが入力され、これら容量Ａと容量Ｂの大小比較を行う。なお、外部記録媒体の容量Ｂの入力は、ソフトウェア処理の例と同様、使用者が行う。容量分割部６３は、容量比較部６２による比較結果に基づき、内蔵記録媒体９の容量を外部記録媒体の容量以下になるように仮想的に分割する。分割結果はメモリに記憶され、複数個の仮想記録媒体として管理され映像音声データが記録される点についてはソフトウェア処理の場合と同様である。
【産業上の利用可能性】
【００２８】
本発明の映像信号記録装置は、映像音声データを記憶する大容量の内蔵記録媒体を備え、必要に応じて内蔵記録媒体に記憶させた映像音声データを外部記録媒体に保存する機能を備えたデジタルスチルカメラ、デジタルビデオカメラその他、動画像や静止画像などの映像を記録する機器に有用である。
【図面の簡単な説明】
【００２９】
【図１】本発明の一実施の形態の映像信号記録装置のブロック図
【図２】本発明の一実施の形態のソフトウェア処理により内蔵記録媒体を仮想的に分割する手順のフローチャート
【図３】本発明の一実施の形態の映像信号記録装置における否分割状態での外部記録媒体への保存の説明図
【図４】本発明の一実施の形態の映像信号記録装置における分割状態での外部記録媒体への保存の説明図
【図５】本発明の一実施の形態の映像信号記録装置における分割状態での画面の説明図
【図６】本発明の一実施の形態のハードウェア処理により内蔵記録媒体を仮想的に分割する手順の説明図
【符号の説明】
【００３０】
１  レンズ
２  ＣＣＤ
３  ＤＳＰ
４  マイク
５  システムバス
６  ＲＡＭ
７  ＣＯＤＥＣ
８  ディスプレイ（表示部）
９  内蔵記録媒体
１０  ＣＰＵ（内蔵記録媒体管理部）
１１  ＵＳＢコントローラ（外部記録媒体インターフェース）
１２  ＵＳＢコネクタ（外部記録媒体インターフェース）
３１  外部記録媒体
１００  映像信号記録装置
【図１】
2007206932.tif 000003
【図２】
2007206932.tif 000004
【図３】
2007206932.tif 000005
【図４】
2007206932.tif 000006
【図５】
2007206932.tif 000007
【図６】
2007206932.tif 000008